(57)【要約】  本発明は車両のためのクルーズコントロール装置に関するものであって、前記クルーズコントロール装置にはクルーズコントロール速度機能、クルーズコントロールブレーキ機能、及び、少なくとも１つの選択可能なエコノミーレベルが設けられており、且つ、最大車両速度に対応する設定された最大速度値と、ブレーキクルーズ速度に対応する設定されたブレーキ速度値と、クルーズ速度に対応する設定されたクルーズ速度値とが備えられ、前記設定されたブレーキ速度値の代わりに、前記選択されたエコノミーレベルに依存する暫定ブレーキ速度値が、実際に用いられるブレーキ速度値として用いられる。本発明の利点は、車両のクルーズコントロール装置の動作が経済を考慮して構成されており、車両の燃費を最適化することができることである。【選択図】図１
2014531366.tif 000002
【特許請求の範囲】
【請求項１】
車両のためのクルーズコントロール装置であって、クルーズコントロール速度機能、クルーズコントロールブレーキ機能、及び、少なくとも１つの選択可能なエコノミーレベルが設けられており、且つ、許容される最大車両速度に対応する設定された最大速度値と、ブレーキクルーズ速度に対応する設定されたブレーキ速度値と、クルーズ速度に対応する設定されたクルーズ速度値とを有するクルーズコントロール装置において、エコノミーレベルが選択されたときに、前記設定されたブレーキ速度値の代わりに、前記選択されたエコノミーレベルに依存する暫定ブレーキ速度値が、実際に用いられるブレーキ速度値として用いられることを特徴とするクルーズコントロール装置。
【請求項２】
エコノミーレベルが選択されたときに、前記設定されたクルーズ速度値の代わりに、前記選択されたエコノミーレベルに依存する暫定クルーズ速度値が、実際に用いられるクルーズ速度値として用いられることを特徴とする請求項１に記載の装置。
【請求項３】
前記設定された最大速度値が、前記設定されたブレーキ速度値よりも高く、且つ、前記設定されたブレーキ速度値が、前記設定されたクルーズ速度値よりも高いことを特徴とする請求項１又は２に記載の装置。
【請求項４】
前記装置が複数のエコノミーレベルを含むことを特徴とする請求項１乃至３のいずれかに記載の装置。
【請求項５】
各エコノミーレベルがオフセット速度値に対応していることを特徴とする請求項１乃至４のいずれかに記載の装置。
【請求項６】
選択されたエコノミーレベルに対する前記オフセット速度値が前記設定されたブレーキ速度値に加えられ、これにより前記暫定ブレーキ速度値が得られることを特徴とする請求項５に記載の装置。
【請求項７】
前記オフセット速度値と前記設定されたブレーキ速度値との合計が前記設定された最大速度値よりも大きい場合に、前記暫定ブレーキ速度値が前記設定された最大速度値に等しいように設定されることを特徴とする請求項５又は６に記載の装置。
【請求項８】
前記設定された最大速度値と前記暫定クルーズ速度値との間の速度間隔が、前記設定されたクルーズ速度値と、前記オフセット速度値が前記設定されたブレーキ速度値に加えられた値との間の速度間隔に等しいように前記暫定クルーズ速度値が低減されることを特徴とする請求項５乃至７のいずれかに記載の装置。
【請求項９】
前記設定された最大速度値と前記暫定クルーズ速度値との間の前記速度間隔が、前記設定されたクルーズ速度値と、前記オフセット速度値が前記設定されたブレーキ速度値に加えられた値との間の前記速度間隔に対応する場合のレベルに前記エコノミーレベルが変更されるまで、前記暫定クルーズ速度値が実際のクルーズ速度値として用いられ、且つ、前記設定された最大速度値と前記設定されたクルーズ速度値との間の前記速度間隔が、前記設定されたクルーズ速度値と、前記オフセット速度値が前記設定されたブレーキ速度値に加えられた値との間の前記速度間隔よりも小さい場合に、前記設定されたクルーズ速度値が実際のクルーズ速度値として用いられることを特徴とする請求項８に記載の装置。
【請求項１０】
請求項１乃至９のいずれかに記載の装置を備えた車両。
【請求項１１】
クルーズコントロール速度機能、クルーズコントロールブレーキ機能、及び、少なくとも１つの選択可能なエコノミーレベルを備えた、設定された最大速度値と、設定されたブレーキ速度値と、設定されたクルーズ速度値とを有する車両のためのクルーズコントロール装置において暫定ブレーキ速度値を変更するための方法において、
−選択されたエコノミーレベルに対応するオフセット速度値を、前記設定されたブレーキ速度値に加えるステップと、
−前記オフセット速度値と前記設定されたブレーキ速度値との合計を暫定ブレーキ速度として用いるステップとを含む方法。
【請求項１２】
前記オフセット速度値と前記設定されたブレーキ速度値との合計が前記設定された最大速度値よりも大きい場合に、前記暫定ブレーキ速度値を前記設定された最大速度値に等しいように設定するステップをさらに含む請求項１１に記載の方法。
【請求項１３】
前記設定された最大速度値と前記暫定クルーズ速度値との間の速度間隔が、前記設定されたクルーズ速度値と、前記オフセット速度値が前記ブレーキ速度値に加えられた値との間の速度間隔に対応するように、前記暫定クルーズ速度値を低減するステップをさらに含む請求項１１又は１２に記載の方法。
【請求項１４】
−前記設定された最大速度値と前記暫定クルーズ速度値との間の前記速度間隔が、前記設定されたクルーズ速度値と、前記オフセット速度値が前記設定されたブレーキ速度値に加えられた値との間の速度間隔に対応するレベルに前記エコノミーレベルが変更されるまで前記暫定クルーズ速度値を用いるステップと、
−前記設定された最大速度値と前記暫定クルーズ速度値との間の前記速度間隔が、前記設定されたクルーズ速度値と、前記オフセット速度値が前記設定されたブレーキ速度値に加えられた値との間の速度間隔よりも小さい場合に、前記設定されたクルーズ速度値を前記暫定クルーズ速度値として用いるステップとをさらに含む、請求項１３に記載の方法。
【請求項１５】
コンピュータ上で実行されるときに、請求項１１乃至１４のいずれかに記載の全てのステップを実行するためのプログラムコード手段を含むコンピュータプログラム。
【請求項１６】
コンピュータ上で実行されるときに、請求項１１乃至１４のいずれかに記載の全てのステップを実行するための、コンピュータ可読媒体に記憶されたプログラムコード手段を含むコンピュータプログラム製品。
【発明の詳細な説明】
【技術分野】
【０００１】
本発明は、請求項１の前文に記載されている、車両のクルーズコントロールシステムを適合させるための装置及び方法に関する。本発明は、さらに、コンピュータにて実行されるときにこのような方法をクルーズコントロールシステムにおいて実行するように適合されたコンピュータプログラム、及び、コンピュータ可読媒体に記憶されたこのようなプログラムコード手段を含むコンピュータプログラム製品に関する。本発明の装置は、エコノミー運転設定を備えた様々な種類の車両に適している。
【背景技術】
【０００２】
最近の車両には、運転者の快適性を高めるためにクルーズコントロールシステムが設けられている場合が多い。幾つかのクルーズコントロールシステムには、さらなる機能、例えば、自身の車両と前方車両との距離を監視する距離測定装置を用い、それによりクルーズ速度を前方車両の速度に適応させることができるアダプティブ制御システムが設けられている。このようなシステムにより、前方車両までの最小距離は維持されるであろうから、クルーズコントロールシステムの安全性が高められるであろう。また、幾つかのシステムは、最小距離が維持されない場合、又は、前方車両までの距離が所定の比率で減少している場合に車両の制動も行うであろう。クルーズコントロールシステムは、設定された速度を、アクセルのみを用いることにより、又は、車両のブレーキも用いることにより維持するように適合され得る。これは、特に、補助ブレーキ、例えば、エンジンブレーキ及びリターダを備えた大型車両において一般的である。車両のクルーズコントロールシステムのさらなる機能は、クルーズコントロールシステムの調整パラメータが経済性により支配されるエコノミー運転設定であり得る。
【０００３】
クルーズコントロールシステムは、実際の速度値を維持する調整範囲を有する。速度を維持するためにアクセルのみを用いるシステムに関しては、数パーセントの超過速度が許容され得る。この場合、速度が７０ｋｍ／ｈに設定されていると、典型的に、速度は６８ｋｍ／ｈ〜７２ｋｍ／ｈの範囲で変化し得る。それは、車両のための最大許容超過速度値を設定することが可能であろう。このようにして、システムは、車両が所定の状況下で（例えば、軽度の下り坂を走行するときに）超過速度で走行することを許容することができる。
【０００４】
車両の速度を維持するためにブレーキシステム（ブレーキクルーズシステムと称される）も用いられる場合、非常に急勾配の下り坂を下る車両に、特定の超過速度も許容されることができる。許容される超過速度は、車両の運動量を用いることによりエネルギーの保存を補助し得る。もちろん、許容される超過速度の限界は、他の車両に危険を及ぼさない値に設定されなければならない。
【０００５】
しかし、クルーズコントロールシステムの従来の調整方法が燃費良く機能しない状況がある。このような状況は、例えば、車両が上り坂及び下り坂を走行する場合、又は、突然のペース変更が要求される場合である。上り坂において、上記の種類のクルーズコントロールシステムは、上り坂の勾配に関係なく６８ｋｍ／ｈの速度を維持しようとするであろう。これにより、車両がフルスロットルで坂を上ることを導くことになり得る。同様に、下り坂を下る車両の速度は、ブレーキを作動させることにより７２ｋｍ／ｈに維持される。
【０００６】
従って、よりエネルギー効率の良い、改良されたクルーズコントロールシステムが必要である。
【発明の概要】
【発明が解決しようとする課題】
【０００７】
従って、本発明の目的は、クルーズコントロール動作がエコノミー設定に適合される、車両のために改良されたクルーズコントロール装置を提供することである。本発明のさらなる目的は、車両のクルーズコントロールシステムの動作を適合させるために改良された方法を提供することである。
【課題を解決するための手段】
【０００８】
この課題の、本発明による解決方法が、本発明の装置に関する請求項１、及び、本発明の方法に関する請求項１１の特徴部分に記載されている。その他の請求項は、本発明の装置及び方法の有利なさらなる展開を含む。
【０００９】
クルーズコントロール速度機能、クルーズコントロールブレーキ機能、及び、少なくとも１つの選択可能なエコノミーレベルが設けられ、且つ、最大許容車両速度に対応する設定された最大速度値と、ブレーキクルーズ速度に対応する設定されたブレーキ速度値と、クルーズ速度に対応する設定されたクルーズ速度値とを有する、車両のためのクルーズコントロール装置において、前記課題は、エコノミーレベルが選択されたときに、実際に用いられるブレーキ速度値として、前記設定されたブレーキ速度値の代わりに、前記選択されたエコノミーレベルに依存する暫定ブレーキ速度値が用いられることにより解決される。
【００１０】
前記クルーズコントロール装置のこの第１の実施形態により、この装置は、前記設定されたブレーキ速度値を、前記選択されたエコノミーレベルに依存する暫定ブレーキ速度値に置き換える。前記選択されたエコノミーレベルが選択されている限りにおいて、前記設定されたブレーキ速度値は保留され、前記暫定ブレーキ速度値が実際のブレーキ速度値として用いられる。別のエコノミーレベルが選択されると、前記選択されたエコノミーレベルに応じて新しい暫定ブレーキ速度値が用いられることになる。エコノミー機能がオフにされると、前記設定されたブレーキ速度値が再び実際のブレーキ速度値として用いられることになる。この実施形態において、よりエネルギー効率の良いクルーズコントロール機能が得られる。なぜなら、前記設定されたクルーズ速度からの許容された速度オフセットが、前記選択されたエコノミーレベルに依存して適合されるからである。１つのエコノミーレベルを選択することにより、エコノミーレベルを選択しない場合と比較して、前記設定されたクルーズ速度と、前記用いられるブレーキ速度との間の、より大きい差が得られる。複数のエコノミーレベルを有するシステムにおいては、より高いエコノミーレベルの選択が、前記設定されたクルーズ速度と前記用いられるブレーキ速度との間の、さらにより大きい差を生じるであろう。前記設定されたクルーズ速度と前記用いられるブレーキ速度との間の、より大きい速度差が、車両が勾配を下り走行するときに、より大きい運動量を保つことを可能にし、これは燃料を節約することになる。前記設定されたブレーキ速度値は、デフォルトブレーキ速度値として保留される。前記設定されたブレーキ速度値は、前記選択されたエコノミーレベルに対応するオフセット速度値と共に用いられ、これにより、前記暫定ブレーキ速度値が得られる。
【００１１】
本発明の装置の有利な展開において、前記暫定ブレーキ速度値は、前記設定された最大速度値よりも大きいことが許容されない。前記設定されたブレーキ速度値と前記オフセット速度値との合計が、前記設定された最大速度値と等しいか又はそれよりも大きい場合には、前記暫定ブレーキ速度値は、前記設定された最大速度値に等しいように設定される。このようにして、車両の最大速度が予め決められた制限内に保持されることが保証される。
【００１２】
本発明の装置の有利な展開において、前記設定されたクルーズ速度値も、暫定クルーズ速度値に置き換えられることができる。前記暫定クルーズ速度値は、前記選択されたエコノミーレベル及び前記暫定ブレーキ速度値に依存している。前記暫定ブレーキ速度値は、前記用いられるブレーキ速度値と前記設定されたクルーズ速度値との間のより大きい差をもたらすため、前記用いられるブレーキ速度値と前記用いられるクルーズ速度値との間の所望の差を得るために、前記設定されたクルーズ速度値を暫定クルーズ速度値に置き換えることが必要であろう。これは、前記暫定ブレーキ速度値が前記設定された最大速度値に等しいように設定される場合である。この場合、前記暫定クルーズコントロール速度は、前記暫定クルーズコントロール速度と前記設定された最大速度値との間の速度間隔が、前記設定されたクルーズコントロール速度と、前記設定されたブレーキ速度値と前記オフセット速度値との合計との間の速度間隔と同一であるように選択される。
【００１３】
本発明の装置の有利な展開において、前記暫定クルーズ速度値は、前記エコノミーレベルが所定のレベルに変更されるまで、実際のクルーズ速度値として用いられる。この所定のレベルとは、前記設定された最大速度値と前記暫定クルーズ速度値との間の前記速度間隔が、前記設定されたクルーズ速度値と、前記オフセット速度値が前記設定されたブレーキ速度値に加えられた値との間の速度間隔に対応するレベルである。また、前記設定された最大速度値と前記設定されたクルーズ速度値との間の速度間隔が、前記設定されたクルーズ速度値と、前記オフセット値を前記設定されたブレーキ速度値に加えた値との間の速度間隔よりも小さい場合に、前記設定されたクルーズ速度値が実際のクルーズ速度値として用いられる。このようにして、前記クルーズコントロールシステムの最初の設定はそのまま保持され、前記エコノミーレベルがスイッチを切ったときに設定を再入力する必要なく運転者により利用されることができる。これは、システムの安全性を高めることになる。なぜなら、システムが前記クルーズコントロール設定に戻るときに運転者が何らの予期せぬ状況にも晒されないからである。
【００１４】
クルーズコントロール速度機能、クルーズコントロールブレーキ機能及び、少なくとも１つの選択可能なエコノミーレベルを含み、且つ、設定された最大速度値と、設定されたブレーキ速度値と、設定されたクルーズ速度値とを有する、車両のためのクルーズコントロール装置にて参照ブレーキ速度値を変更するための方法において、選択されたエコノミーレベルに対応するオフセット速度値を前記設定されたブレーキ速度値に加えるステップと、前記オフセット速度値と前記設定されたブレーキ速度値との合計を暫定ブレーキ速度値として用いるステップとが含まれる。
【００１５】
本発明の方法を用いれば、車両のクルーズコントロールシステムの、道路特性に適合された最適化された挙動を得ることができる。このようにして、名ばかりの、設定されたパラメータを車両の動作を調整するために用いるクルーズコントロールと比較して、燃料消費を低減することができる。
【００１６】
以下に本発明を、添付図面を参照しつつ、より詳細に説明する。
【図面の簡単な説明】
【００１７】
【図１】クルーズコントロールシステムの動作を適合させるための装置の概略図である。
【図２】車両のクルーズコントロールシステムを適合させるための本発明の方法の概略的フローチャートである。
【発明を実施するための形態】
【００１８】
以下に記載する、本発明の、さらなる展開を含む実施形態は、単に例としてみなされるべきであり、特許請求の範囲により与えられる保護範囲を制限するためのものでは全くない。本発明の装置は、あらゆる種類の車両に適し得るが、特には、補助ブレーキを用いるブレーキクルーズコントロール機能を有する大型車両、例えば、トラック及びバスに適している。
【００１９】
図１は、車両のクルーズコントロールシステムを選択されたエコノミーレベルに従って適応させるための装置を概略的に示す。装置１は、クルーズコントロール電子制御ユニット４を備え、クルーズコントロール電子制御ユニット４は、クルーズコントロールシステムを含む独立型の制御ユニットであっても、或いは、例えば車両内の別の電子制御ユニットのソフトウェアモジュールとして一体化されていてもよい。クルーズコントロール装置は、さらに、ユーザインタフェース２を備えている。ユーザインタフェースは、クルーズコントロールパラメータを入力するために、また、クルーズコントロールシステムを作動させ及び解除するために運転者により使用されるボタンを含む。ユーザインタフェースは、さらに、選択されたクルーズコントロールパラメータの一部又は全てを示すディスプレイ手段を含み得る。この装置において、最大速度値（車両がその速度で走行することが許容される許容最大速度値）を設定することができる。最大速度値は、運転者により設定されても、又は製造業者により予め設定されてもよく、また、幾つかの市場において法律により定められる場合もある。
【００２０】
また、運転者は、クルーズ速度（クルーズコントロールが作動されているときに車両が維持するであろう参照速度）を設定又は選択することができる。クルーズコントロールシステムには、設定されたクルーズ速度の前後の、予め設定された速度間隔（例えば、±１ｋｍ／ｈ）が設けられており、クルーズ速度は、クルーズコントロール調整中にこの範囲に保持されることになる。車両がほぼ平坦な道を走行し、且つクルーズ速度が７０ｋｍ／ｈに設定される場合、速度は、６９ｋｍ／ｈ〜７１ｋｍ／ｈの範囲で変化し得る。
【００２１】
運転者は、さらに、ブレーキ速度値を設定することができる。ブレーキ速度値は、車両が下り坂を走行しているときにブレーキクルーズコントロールが維持するであろう速度値である。ブレーキ速度値は、通常、設定されたクルーズ速度に加えられる正の速度オフセット値として設定される。ブレーキ速度オフセットが４ｋｍ／ｈに設定された場合、得られるブレーキ速度は、この場合、７４ｋｍ／ｈであろう。この速度は、車両が下り坂を走行しているときに、及び、車両がクルーズ速度よりも速い速度で惰行する場合に車両の補助ブレーキにより維持されることになる。勾配を下っているときに超過速度を許容することにより、走行効率を改善することができる。同時に、過度に高い超過速度、例えば、車両が停止できないような、又は、速度限界を超えるような速度は許容されてはならない。
【００２２】
本発明の装置は、さらに、運転者が１以上のエコノミーレベルを選択することを可能にするエコノミーレベルセレクタ３を備えている。エコノミーレベルセレクタは、ユーザインタフェース２に一体化されていても、又は、別個のボタンであってもよい。エコノミーレベルの個数は変化し得るが、少数の異なるレベルが好ましい。以下の所与の例において、３つのエコノミーレベルが用いられる。選択されるエコノミーレベルは、車両の異なる設定（例えば、エンジンパラメータ、及びギアボックスパラメータなど）に影響を与え得る。クルーズコントロール装置に関して、選択されるエコノミーレベルは、設定されたクルーズ速度と設定されたブレーキ速度との間の速度間隔（クルーズ−ブレーキ速度間隔と称する）に対応する。この例において、エコノミー機能が解除されている（すなわち、クルーズ速度調整間隔が±１ｋｍ／ｈである）とき、予め設定された速度間隔は１ｋｍ／ｈである。エコノミーレベル１の場合、速度間隔は３ｋｍ／ｈであり、エコノミーレベル２の場合、速度間隔は５ｋｍ／ｈであり、エコノミーレベル３の場合、速度間隔は７ｋｍ／ｈである。また、最大速度値が予め９０ｋｍ／ｈに設定され、且つ、ブレーキクルーズ速度オフセットが運転者により＋２ｋｍ／ｈに設定されると、これは、８７ｋｍ／ｈのブレーキクルーズ速度をもたらし、クルーズ速度は運転者により８５ｋｍ／ｈに設定される。
【００２３】
エコノミー機能が解除されているとき、これは、８５ｋｍ／ｈの前後±１ｋｍ／ｈの調整間隔、及び、８７ｋｍ／ｈの設定されたブレーキクルーズ速度を有するクルーズコントロールを提供する。運転者が第１のエコノミーレベルを選択すると、第１のエコノミーレベルに対応するクルーズ−ブレーキ速度間隔は３ｋｍ／ｈであり、これは、８８ｋｍ／ｈのブレーキクルーズ速度をもたらすことになる。こうして、８８ｋｍ／ｈの暫定ブレーキ速度値が、設定されたブレーキクルーズ速度の代わりに用いられることになる。こうして、車両が勾配を下るとき、８８ｋｍ／ｈの速度が維持されることになる。
【００２４】
エコノミーレベル２を選択することにより、５ｋｍ／ｈのクルーズ−ブレーキ速度間隔が選択されることになり、これは、９０ｋｍ／ｈの暫定ブレーキ速度値をもたらす。エコノミーレベル３を選択することにより、対応するクルーズ−ブレーキ速度間隔は７ｋｍ／ｈであり、これは、９２ｋｍ／ｈの暫定ブレーキ速度値となろう。許容される最大速度値が予め９０ｋｍ／ｈに設定されているため、９０ｋｍ／ｈよりも高速の暫定ブレーキ速度値は許容されることができない。その代わりに、暫定ブレーキ速度値が最大速度値に等しいように設定されるため、暫定ブレーキ速度値はなお９０ｋｍ／ｈとなる。所望のエコノミー状態（すなわち、７ｋｍ／ｈのクルーズ−ブレーキ速度間隔）を得るために、設定されたクルーズ速度が暫定のクルーズ速度に置き換えられ、これにより、クルーズ−ブレーキ速度間隔は、選択されたエコノミーレベルに対応する。従って、この場合、実際のクルーズ速度として用いられる暫定クルーズ速度値は８３ｋｍ／ｈになる。このようにして、選択されたエコノミーレベルに対応する所望のクルーズ−ブレーキ速度間隔を得ることが可能である。
【００２５】
暫定クルーズ速度は、エコノミーレベルが変更されるまで用いられることになる。エコノミーレベルがエコノミーレベル２に戻されるならば、暫定ブレーキ速度は、選択されたエコノミーレベルに対応する値に設定されるであろう。この場合、暫定ブレーキ速度は９０ｋｍ／ｈに維持されるであろう。なぜなら、設定されたクルーズ速度が８５ｋｍ／ｈであり、選択されたエコノミーレベルに対応するクルーズ−ブレーキ速度間隔が５ｋｍ／ｈであるからである。ここで、暫定クルーズ速度は、８５ｋｍ／ｈに戻されることができる。車両が８３ｋｍ／ｈの暫定クルーズ速度で走行しているときにエコノミーレベルが変更されるならば、この暫定クルーズ速度は、実際の車両の速度が、設定されたクルーズ速度（すなわち８５ｋｍ）に対応するまで維持されるであろう。これは、車両が勾配を下り走行しているときに生じるであろう。このように、運転者が別のエコノミーレベルを選択しても、突然の加速は生じないことになる。
【００２６】
運転者がエコノミー機能を完全に解除した場合、クルーズコントロールは、設定されたパラメータ（すなわち、設定されたクルーズ速度及び設定されたブレーキ速度）で再開することになる。暫定クルーズ速度が設定されたクルーズ速度よりも低速であるならば、実際の車両速度が、設定されたクルーズ速度に対応するときに、或いは、クルーズコントロール装置が解除されるときに、設定されたクルーズ速度が第１に用いられるであろう。設定されたブレーキ速度が暫定ブレーキ速度よりも常に低速であるため、設定されたブレーキ速度が常に直接用いられることができる。
【００２７】
図２は、本発明による車両のクルーズコントロール装置における暫定ブレーキ速度値を変更するための方法の概略的なフローチャートである。この装置は、クルーズコントロール速度機能、クルーズコントロールブレーキ機能、及び、少なくとも１つの選択可能なエコノミーレベルを含み、また、この装置は、設定された最大速度値、設定されたブレーキ速度値、及び、設定されたクルーズ速度値を有する。
【００２８】
ステップ１００において、エコノミーレベルは運転者により選択される。ステップ１１０において、選択されたエコノミーレベルに対応するオフセット速度値が、設定されたブレーキ速度値に加えられる。
【００２９】
ステップ１２０において、選択されたエコノミーレベルに対応するオフセット速度値と、設定されたブレーキ速度値との合計が、設定された最大速度値と比較される。合計値が設定された最大速度値と等しいか又はそれよりも小さいならば、ステップ１３０において、暫定ブレーキ速度値が、オフセット速度値と、設定されたブレーキ速度値との合計に設定される。
【００３０】
選択されたエコノミーレベルに対応するオフセット速度値と、設定されたブレーキ速度値との合計が、設定された最大速度値よりも大きい場合には、ステップ１４０において、暫定ブレーキ速度値が、最大設定速度値に設定される。
【００３１】
この場合、ステップ１５０において、暫定クルーズ速度値が実際のクルーズ速度として用いられるであろう。暫定クルーズ速度値は、暫定クルーズ速度と設定された最大速度との間の速度間隔がクルーズ−ブレーキ速度間隔に等しいように選択されるであろう。クルーズ−ブレーキ速度間隔は、設定されたクルーズ速度と、選択されたエコノミーレベルに対応するオフセット速度値と設定されたブレーキ速度との合計との差である。
【００３２】
本発明が、以上に記載した実施形態に限定されるものとみなされるべきではなく、多数のさらなる変形及び変更が以下の特許請求の範囲内で可能である。
【符号の説明】
【００３３】
１  クルーズコントロール装置
２  ユーザインタフェース
３  エコノミーレベルセレクタ
４  クルーズコントロール電子制御ユニット
１００  ステップ
１１０  ステップ
１２０  ステップ
１３０  ステップ
１４０  ステップ
１５０  ステップ
【図１】
2014531366.tif 000003
【図２】
2014531366.tif 000004
【国際調査報告】
2014531366.tif 000005
2014531366.tif 000006